(57)【要約】【課題】  電波吸収性能を低下することなく外装用板状石材とコンクリートの結合力を増加させる石張り電波吸収ＰＣパネルを提供することを目的とする。【解決手段】  石張り電波吸収ＰＣパネルにおいて、外装用板状石材の裏面に電波吸収材としての短冊状フェライトボードを対象とする電波の偏波方向に合わせて所定幅の間隙部を設けて等間隔に複数配置し、前記短冊状フェライトボードの裏面に電波反射鉄筋又は電波反射板を配置しコンクリートを打設しコンクリートとの付着力により一体に成形される石張り電波吸収ＰＣパネルであって、短冊状フェライトボードの間隙部に外装用板状石材とコンクリートとの結合強度を高める機械的係合手段を設けることを特徴とする。【選択図】図１
2005330745.tif 000002
【特許請求の範囲】
【請求項１】
外装用板状石材の裏面に電波吸収材としての短冊状フェライトボードを対象とする電波の偏波方向に合わせて所定幅の間隙部を設けて等間隔に複数配置し、前記短冊状フェライトボードの裏面に電波反射鉄筋又は電波反射板を配置してコンクリートを打設し、コンクリートの付着力により一体に成形される石張り電波吸収ＰＣパネルであって、短冊状フェライトボードの間隙部に外装用板状石材とコンクリートとの結合強度を高める機械的係合手段を設けることを特徴とする石張り電波吸収ＰＣパネル。
【請求項２】
前記外装用板状石材裏面の短冊状フェライトボードの間隙部に対応する位置に蟻溝を形成し、該蟻溝と短冊状フェライトボードの間隙部及びその裏面にコンクリートを打設することにより外装用板状石材とコンクリートとの機械的係合手段を形成し外装用板状石材とコンクリートの結合強度を高めることを特徴とする請求項１に記載の石張り電波吸収ＰＣパネル。
【請求項３】
前記外装用板状石材裏面の短冊状フェライトボードの間隙部に対応する位置に蟻溝を形成し、一方の面に前記蟻溝に係合する蟻ほぞを形成し、他方の面に前記短冊状フェライトボードの間隙部の幅と同じ幅で先端に幅広部を有する裏足を形成した繊維補強プラスチック薄板を前記外装用板状石材と短冊状フェライトボードとの間に配置することにより外装用板状石材とコンクリートとの機械的係合手段を形成し、外装用板状石材とコンクリートの結合強度を高めることを特徴とする請求項１に記載の石張り電波吸収ＰＣパネル。
【請求項４】
前記外装用板状石材の裏面の短冊状フェライトボードの間隙部に対応する位置に前記間隙部の幅と同じ幅で先端に幅広部を有する裏足を形成することにより外装用板状石材とコンクリートとの機械的係合手段を形成し外装用板状石材とコンクリートの結合強度を高めることを特徴とする請求項１に記載の石張り電波吸収ＰＣパネル。
【請求項５】
前記外装用板状石材の裏面の短冊状フェライトボードの間隙部に対応する位置に間隙部の幅と同じ幅で先端にアンカー材を設けた裏足を設けることにより外装用板状石材とコンクリートとの機械的係合手段を形成し外装用板状石材とコンクリートの結合強度を高めることを特徴とする石張り電波吸収ＰＣパネル。
【発明の詳細な説明】
【技術分野】
【０００１】
本発明は、テレビゴースト防止等の建造物の外壁用として用いられる石張り電波吸収ＰＣパネルに関する。
【背景技術】
【０００２】
ＶＨＦ、ＵＨＦのテレビ電波の反射はテレビ画面にゴーストを生じさせる。特に高層建築物のように反射面が大きい場合には遠距離までその影響を及ぼし、広範囲の地域に受信障害を与え、大きな社会問題化する。そこで、高層建築物では、外壁面でテレビ電波を反射させずに吸収する電波吸収機能を有する種々の外壁材が採用されてきた。
【０００３】
従来の電波吸収機能を有する外壁材の代表的な例としては、電波吸収ＰＣパネルがある。
電波吸収ＰＣパネルは、表面に外装用板状石材を設置し、その上に短冊状の電波吸収材としてのフェライトボードを対象とする電波の偏波方向に合わせて所定幅の間隙部をおいて等間隔に複数配置し、その上に電波反射鉄筋又は電波反射板を配置し、コンクリートを打設して一体に成形される。
【特許文献１】特開平６−８７１１６号公報
【発明の開示】
【発明が解決しようとする課題】
【０００４】
従来の電波吸収ＰＣパネルにおいては、外装用板状石材とコンクリートとの接触部は、短冊状フェライトボード間の間隙部に限定され結合力が不十分となる。外装用板状石材とコンクリートとの結合力を増加するにはフェライトボード間の間隙部を広くすればよいが、フェライトボード間の間隙部が広くなると電波吸収性能が低下するという問題が発生する。
【０００５】
本発明は、上記従来技術の持つ課題を解消する、電波吸収性能を低下させることなく外装用板状石材とコンクリートの結合力を増加させる石張り電波吸収ＰＣパネルを提供することを目的とする。
【課題を解決するための手段】
【０００６】
本第１発明は、前記課題を解決するために、石張り電波吸収ＰＣパネルにおいて、外装用板状石材の裏面に電波吸収材としての短冊状フェライトボードを対象とする電波の偏波方向に合わせて所定幅の間隙部を設けて等間隔に複数配置し、前記短冊状フェライトボードの裏面に電波反射鉄筋又は電波反射板を配置してコンクリートを打設し、コンクリートとの付着力により一体に成形される石張り電波吸収ＰＣパネルであって、短冊状フェライトボードの間隙部に外装用板状石材とコンクリートとの結合強度を高める機械的係合手段を設けることを特徴とする。
【０００７】
本第２発明は、本第１発明の石張り電波吸収ＰＣパネルにおいて、前記外装用板状石材裏面の短冊状フェライトボードの間隙部に対応する位置に蟻溝を形成し、該蟻溝と短冊状フェライトボードの間隙部及びその裏面にコンクリートを打設して外装用板状石材とコンクリートとの機械的係合手段を形成し、外装用板状石材とコンクリートの結合強度を高めることを特徴とする。
【０００８】
本第３発明は、本第１発明の石張り電波吸収ＰＣパネルにおいて、前記外装用板状石材裏面の短冊状フェライトボードの間隙部に対応する位置に蟻溝を形成し、一方の面に前記蟻溝に係合する蟻ほぞを形成し、他方の面に前記短冊状フェライトボードの間隙部の幅と同じ幅で先端に幅広部を有する裏足を形成した繊維補強プラスチック薄板を前記外装用板状石材と短冊状フェライトボードとの間に配置することにより外装用板状石材とコンクリートとの機械的係合手段を形成し外装用板状石材とコンクリートの結合強度を高めることを特徴とする。
【０００９】
本第４発明は、本第１発明の石張り電波吸収ＰＣパネルにおいて、前記外装用板状石材の裏面の短冊状フェライトボードの間隙部に対応する位置に前記間隙部の幅と同じ幅で先端に幅広部を有する裏足を形成することにより外装用板状石材とコンクリートとの機械的係合手段を形成し外装用板状石材とコンクリートの結合強度を高めることを特徴とする。
【００１０】
本第５発明は、本第１発明の石張り電波吸収ＰＣパネルにおいて、前記外装用板状石材の裏面の短冊状フェライトボードの間隙部に対応する位置に間隙部の幅と同じ幅で先端にアンカー材を設けた裏足を形成して外装用板状石材とコンクリートとの機械的係合手段を形成し外装用板状石材とコンクリートとの結合強度を高めることを特徴とする。
【発明の効果】
【００１１】
本第１発明の石張り電波吸収ＰＣパネルにおいて、外装用板状石材の裏面に電波吸収材としての短冊状フェライトボードを対象とする電波の偏波方向に合わせて所定幅の間隙部を設けて等間隔に複数配置し、前記短冊状フェライトボードの裏面に電波反射鉄筋又は電波反射板を配置してコンクリートを打設し、コンクリートとの付着力により一体に成形される石張り電波吸収ＰＣパネルであって、短冊状フェライトボードの間隙部に外装用板状石材とコンクリートとの結合強度を高める機械的係合手段を設けることにより、短冊状フェライトボード間の間隙部の幅を広くすることなく両者の結合強度を高めることができるので、電波吸収性がよく強度の大きい石張り電波吸収ＰＣパネルとすることができる。
本第２発明の外装用板状石材の裏面に蟻溝を形成してコンクリートを打設し外装用板状石材とコンクリートとの間に機械的手段が形成され、他の部材を使用することなく簡単な構成で短冊状フェライトボード間の間隙部の幅を広くすることなく両者の結合強度を高めることができる。
本第３発明の外装用板状石材の裏面に形成した蟻溝に係合する蟻ほぞと間隙部の幅と同じ幅で先端に幅広部を備えた裏足を有する繊維強化プラスチック薄板を外装用板状石材と短冊状フェライトボード間に配置することにより、外装用板状石材とコンクリートとの間に機械的係合手段を形成し、短冊状フェライトボード間の間隙部の幅を広くすることなく、外装用板状石材との接触面積の大きいより結合強度の高いものとすることができる。裏足により複数の短冊状フェライトボードを同じ間隙部の幅で配列できる。
本第４発明の外装用板状石材の裏面の短冊状フェライトボードの間隙部に対応する位置に間隙部と同じ幅で先端に幅広部を有する裏足を形成することにより外装用板状石材とコンクリートとの間に機械的係合部を形成し、短冊状フェライトボード間の間隙部の幅を広くすることなく両者の結合強度を高めることができる。
本第５発明の外装用板状石材の裏面の短冊状フェライトボードの間隙部に対応する位置に間隙部からその裏面に伸び先端に金属製アンカーを設けた裏足を形成することにより外装用板状石材とコンクリートとの間に機械的係合部が形成され、短冊状フェライトボード間の間隙部の幅を広くすることなく両者の結合強度を高めることができる。金属製アンカーを電波反射鉄筋より深い位置に配置すれば電波吸収性能に影響はない。
【発明を実施するための最良の形態】
【００１２】
本発明の石張り電波吸収ＰＣパネルは、基本的に、外装用板状石材と短冊状フェライトボード、電波反射鉄筋又は電波反射板が所定厚みのコンクリートにより一体化されて形成される。短冊状フェライトボードは、対象とする電波の偏波方向に合わせて所定間隙部をおいて等間隔に配置され、電波反射鉄筋又は電波反射板とにより電波吸収体を構成する。
本発明の石張り電波吸収ＰＣパネルの実施の形態を図により説明する。
【００１３】
図１（ａ），（ｂ）は、本発明の石張り電波吸収ＰＣパネルの一実施形態を示すものである。石張り電波吸収ＰＣパネル１は、外装用板状石材２の裏面に電波吸収材としての短冊状フェライトボード３を所定幅の間隙部４をおいて等間隔に複数配置し、電波反射鉄筋又は電波反射板（図示せず）を設置した後、未硬化のコンクリート５を打設し硬化させ一体に成形する。コンクリート５としてはパネル全体の重量を軽量化するために軽量コンクリートを用いるのが好ましい。この実施形態においては、対象とする電波をテレビ電波としているので、電波吸収材としての短冊状フェライトボード３は、垂直方向に所定幅の間隙部４をおいて等間隔に配置する。外装用板状石材２の裏面の短冊状フェライトボード３間の間隙部４に対応する位置に蟻溝６を形成する。蟻溝６の奥行きの幅は間隙部４の幅とほぼ同じ幅とし、外装用板状石材２の裏面部での幅は、奥行きの幅のほぼ７０％程度とする。蟻溝６の深さは外装用板状石材２の厚みの２０％程度とする。蟻溝６、間隙部４、短冊状フェライトボード３の裏面に所定厚みの未硬化コンクリート５を打設し硬化させ、短冊状フェライトボード３の間の間隙部４に、外装用板状石材とコンクリート５との結合強度を増加させる機械的係合手段を形成する。
【００１４】
図２（ａ），（ｂ）は、本発明の石張り電波吸収ＰＣパネル１の他の実施形態を示すものである。この実施形態においても、外装用板状石材２の裏面の短冊状フェライトボード３間の間隙部４に対応する位置に蟻溝６を形成する。この実施形態においては、短冊状フェライトボード３間の間隙部４の幅は、図１に示される実施形態の間隙部４の幅より狭くし、蟻溝６の奥行きの幅は、間隙部４の幅より広くし、蟻溝６の入口部の幅は間隙部４の幅とほぼ同じ幅とする。外装用板状石材２と短冊状フェライトボード３との間に、繊維強化プラスチック薄板７を配置する。繊維強化プラスチック薄板７の一方の面には、前記外装用板状石材２の裏面に形成した蟻溝６と係合する蟻ほぞ８を形成し、他方の面には、間隙部４の幅と同じ裏足９を形成し、裏足９には、その先端に間隙部４の幅より広い幅広部１０を形成する。前記繊維強化プラスチック薄板７を外装用板状石材２と短冊状フェライトボード３との間に配置し、電波反射鉄筋又は電波反射板を配置し、未硬化のコンクリートを打設し、硬化させて短冊状フェライトボード３間の間隙部４に機械的係合手段を形成し、外装用板状石材２とコンクリート５との結合強度を高める。また、繊維強化プラスチック薄板７の他方の面に形成した裏足９により短冊状フェライトボード３を同じ間隙部４をおいて正確に等間隔に配列することができる。繊維補強プラスチック薄板７と外装用板状石材との接触面積が大きいので、外装用板状石材２とコンクリート５との結合強度は、短冊状フェライトボード３間の間隙部４の幅を狭くしても図１に示される実施形態のものより高いものとなる。
【００１５】
図３（ａ），（ｂ）は、本発明の石張り電波吸収ＰＣパネル１の別の実施形態を示すものである。この実施形態では、外装用板状石材２の裏面の短冊状フェライトボード３間の間隙部４に対応する位置に間隙部４の幅と同じ幅の裏足１１を形成し、裏足１１には、その先端に間隙部４の幅より広い幅広部１２を形成する。短冊状フェライトボード３の裏面に電波反射鉄筋又は電波反射板を配置し、未硬化のコンクリート５を打設、硬化させて短冊状フェライト間隙部４に機械的係合手段を形成し外装用板状石材２とコンクリート５との結合強度を高めることができる。
【００１６】
図４（ａ），（ｂ）は、本発明の石張り電波吸収ＰＣパネル１のさらに別の実施形態を示すものである。
この実施形態では、外装用板状石材２の裏面の短冊状フェライトボード３間の間隙部４に対応する位置に間隙部４の幅と同じ幅の裏足１１を形成し、裏足１１には、その先端にアンカー材１３を設置する。短冊状フェライトボード３の裏面に電波反射鉄筋又は電波反射板を配置し、未硬化のコンクリート５を打設、硬化させて短冊状フェライト間隙部４に機械的係合手段を形成し外装用板状石材２とコンクリート５との結合強度を高めることができる。アンカー材１３として金属製のものを用いても、電波反射鉄筋又は電波反射板の設置された位置より深い位置であれば電波吸収性能に影響を与えない。
【図面の簡単な説明】
【００１７】
【図１】（ａ）（ｂ）本発明の一実施形態を示す図である。
【図２】（ａ）（ｂ）本発明の他の実施形態を示す図である。
【図３】（ａ）（ｂ）本発明の別の実施形態を示す図である。
【図４】（ａ）（ｂ）本発明のさらに別の実施形態を示す図である。
【符号の説明】
【００１８】
１：石張り電波吸収ＰＣパネル
２：外装用板状石材
３：短冊状フェライトボード
４：間隙部
５：コンクリート
６：蟻溝
７：繊維強化プラスチック薄板
８：蟻ほぞ
９：裏足
１０：幅広部
１１：裏足
１２：幅広部
１３：アンカー材
【図１】
2005330745.tif 000003
【図２】
2005330745.tif 000004
【図３】
2005330745.tif 000005
【図４】
2005330745.tif 000006